(57)【特許請求の範囲】
【請求項１】
建物の躯体に取付けられる上枠、下枠および左右の縦枠からなる出窓枠と、該出窓枠内に着脱可能に取付けられるサッシ本体とを備え、前記出窓枠が建物の躯体に取付けられる出幅寸法の異なる複数種類から選択可能とされた内部材と、該内部材の室外側端部に着脱可能に取付けられる出幅寸法や付属機能の異なる複数種類から選択可能とされた外部材とから構成され、前記内部材から前記外部材を取外した状態で前記内部材内にサッシ本体を着脱可能とするために、サッシ本体の外周にフィンを略同一面状に突出形成し、前記内部材の内周にサッシ本体の外周の前記フィンを室外側から当接させて固着具で着脱可能に取付けるためのフィン状の取付部を略同一面状に形成してなることを特徴とする出窓。
【請求項２】
建物の躯体に取付けられる上枠、下枠および左右の縦枠からなる出窓枠と、該出窓枠内に着脱可能に取付けられるサッシ本体とを備え、前記出窓枠が建物の躯体に取付けられる出幅寸法の異なる複数種類から選択可能とされた内部材と、該内部材の室外側端部に着脱可能に取付けられる出幅寸法や付属機能の異なる複数種類から選択可能とされた外部材とから構成され、前記内部材から前記外部材を取外した状態で前記内部材内にサッシ本体を着脱可能とするために、サッシ本体の外周にフィンを略同一面状に突出形成し、前記内部材の内周にサッシ本体の外周の前記フィンを室外側から当接させて固着具で着脱可能に取付けるためのフィン状の取付部を略同一面状に形成すると共に、前記フィンを含む上下方向の寸法の異なる種類のサッシ本体を取付可能とするために前記フィン状の取付部に上部アタッチメントおよび下部アタッチメントを前記固着具で着脱可能に取付けてなることを特徴とする出窓。
【発明の詳細な説明】
【０００１】
【発明の属する技術分野】
本発明は、出窓に係り、特に出窓枠とサッシ本体の種々の組合せおよび改装を可能とした出窓に関する。
【０００２】
【従来の技術】
出窓としては、建物の躯体に取付けられる上枠、下枠および左右の縦枠からなる出窓枠と、この出窓枠内に取付られるサッシ本体とを備えたものが提案されている。このような出窓においては、出窓枠とサッシ本体とが別体に構成されているため、躯体への設置前に、サッシ本体を種類の異なるもの（例えば引違い窓サッシや嵌め殺し窓サッシ等）の中から選択することが可能である。関連する技術としては、例えば特許第２５７７２６５号公報等がある。
【０００３】
【発明が解決しようとする課題】
しかしながら、前述したような従来の出窓においては、出窓枠内にサッシ本体が組込まれているため、躯体への設置後は出窓枠を躯体から取外して分解しない限り、サッシ本体を別の種類のものに取替える（入れ替える）などの改装（リフォーム）を施すことが困難であった。また、出窓枠においては、上枠と下枠を室内外方向に分割可能に構成したものも存在するが、出幅の異なるものや、横引き網戸等の機能付のものを選択したり、組み替えるなどの改装を施すことは困難であった。
【０００４】
本発明は、前記事情を考慮してなされたもので、出窓枠とサッシ本体の種々の組合せおよび改装を可能とした出窓を提供することを目的とする。
【０００５】
【課題を解決するための手段】
本発明のうち、請求項１の出窓は、建物の躯体に取付けられる上枠、下枠および左右の縦枠からなる出窓枠と、該出窓枠内に着脱可能に取付けられるサッシ本体とを備え、前記出窓枠が建物の躯体に取付けられる出幅寸法の異なる複数種類から選択可能とされた内部材と、該内部材の室外側端部に着脱可能に取付けられる出幅寸法や付属機能の異なる複数種類から選択可能とされた外部材とから構成され、前記内部材から前記外部材を取外した状態で前記内部材内にサッシ本体を着脱可能とするために、サッシ本体の外周にフィンを略同一面状に突出形成し、前記内部材の内周にサッシ本体の外周の前記フィンを室外側から当接させて固着具で着脱可能に取付けるためのフィン状の取付部を略同一面状に形成してなることを特徴とする。
【０００６】
請求項２の出窓は、建物の躯体に取付けられる上枠、下枠および左右の縦枠からなる出窓枠と、該出窓枠内に着脱可能に取付けられるサッシ本体とを備え、前記出窓枠が建物の躯体に取付けられる出幅寸法の異なる複数種類から選択可能とされた内部材と、該内部材の室外側端部に着脱可能に取付けられる出幅寸法や付属機能の異なる複数種類から選択可能とされた外部材とから構成され、前記内部材から前記外部材を取外した状態で前記内部材内にサッシ本体を着脱可能とするために、サッシ本体の外周にフィンを略同一面状に突出形成し、前記内部材の内周にサッシ本体の外周の前記フィンを室外側から当接させて固着具で着脱可能に取付けるためのフィン状の取付部を略同一面状に形成すると共に、前記フィンを含む上下方向の寸法の異なる種類のサッシ本体を取付可能とするために前記フィン状の取付部に上部アタッチメントおよび下部アタッチメントを前記固着具で着脱可能に取付けてなることを特徴とする。
【０００９】
【発明の実施の形態】
以下に、本発明の実施の形態を添付図面に基いて詳述する。図１は本発明の実施の形態を示す出窓の縦断面図、図２は同出窓の横断面図、図５は図１の出窓の概略的正面図、図６は図２の要部分解横断面図、図７は図１の分解縦断面図である。
【００１０】
図１、図２、図５〜図７に示すように、本実施の形態の出窓は、建物の躯体１に取付けられる上枠２、下枠３および左右の縦枠４，４からなる出窓枠５と、この出窓枠５内に着脱可能に取付けられるサッシ本体６とを備えている。図示例のサッシ本体６は、上枠７、下枠８および左右の縦枠９，９からなるサッシ枠１０にガラスパネル１１を嵌め込んだ嵌め殺し窓サッシからなっている。
【００１１】
なお、サッシ本体６としては、サッシ枠に障子を開閉可能に取付けた引違い窓サッシや縦辷り出し窓サッシ等からなっていても良い。また、出窓枠５の組立構造としては、例えば図５に示すように、上枠２と下枠３の対向面間に左右の縦枠４，４を組付ける横通し組立構造が採用されているが、左右の縦枠４，４の対向面間に上枠２および下枠３を組付ける縦通し組立構造であっても良い。
【００１２】
このサッシ本体６を前記出窓枠５に取付可能とするために、サッシ枠１０の外周すなわち上枠７の上面、下枠８の下面および左右の縦枠９，９の外側面にはフィン１２が略同一面状になるように突出形成されている。図示例のサッシ枠１０においては、上枠７、下枠８および左右の縦枠９，９が金属製例えばアルミ製の室外側形材ｘと室内側形材ｙを合成樹脂製の断熱ブリッジ材ｚを介して結合した断熱構造とされている。なお、サッシ枠１０や障子の框は、前記断熱構造以外に、金属製の室外側形材と合成樹脂製の室内側形材とを結合した複合構造であったり、通常の金属製形材からなる非断熱構造であってもよい。
【００１３】
前記出窓枠５の上枠２、下枠３および左右の縦枠４，４は、室内外方向に内部材ａと外部材ｂとに分割可能に構成されている。これらの内部材ａと外部材ｂは、金属製例えばアルミ製の押出形材からなっている。出窓枠５内にサッシ本体６を着脱可能に取付けるために、前記内部材ａの内周すなわち上枠内部材２ａの下面、下枠内部材３ａの上面および縦枠内部材４ａの内側面には、サッシ本体６の外周のフィン１２を室外側から当接させて固着具であるネジ１３で取付固定するためのフィン状の取付部１４が前記フィン１２と対応すべく略同一面状になるように突出形成されている。
【００１４】
図示例の出窓においては、フィン１２を含む上下方向の寸法が若干異なる種類のサッシ本体６でも取付可能とするために、前記上枠内部材２ａと下枠内部材３ａのフィン状の取付部１４に上部と下部のアタッチメント１５，１６が前記ネジ１３で着脱可能に取付けられている。上部アタッチメント１５は、上枠内部材２ａの取付部１４の室外面に突出形成した位置決め用突起部１７に係止して位置決めされる係止部１８と、前記取付部１４に室外側から対向してネジ止めされる固定部１９と、室外側前方へ延出された延出部２０とを有している。下部アタッチメント１６は、下枠内部材３ａの取付部１４の室外面に突出形成した位置決め用突起部２１に係止して位置決めされる係止部２２と、前記取付部１４に室外側から対向してネジ止めされる固定部２３と、室外側前方へ延出された延出部２４とを有している。
【００１５】
上枠外部材２ｂは、断面略コ字状に形成され、その上辺２５には上枠内部材２ａの先端部に形成した断面Ｕ字状の上向き係合溝２６に係合される下向きの係合突部２７が形成され、下辺２８にはサッシ本体６の上枠７の室外面に当接される気密材２９が設けられている。また、上枠外部材２ｂの上辺２５と下辺２８の間には、前記上部アタッチメント１５の延出部２０の先端部にネジ３０で固定するための固定辺３１が形成されている。上枠外部材２ｂの下辺２８には前記ネジ３０を下方から挿通するための孔部３２が形成されており、この孔部３２にはネジ３０を隠すための目隠し板３３が貼り付けられるようになっている。
【００１６】
下枠外部材３ｂは、断面略コ字状に形成され、その上辺３４には前記下部アタッチメント１６の延出部２４先端に形成した断面Ｕ字状の上向き係合溝３５に係合される下向きの係合突部３６が形成されている。この係合突部３６には、サッシ本体６の下枠８の室外面に当接される気密材３７が設けられている。また、下枠外部材３ｂの下辺３８には、下枠内部材３ａの先端部にネジ３０で下方から固定するための固定辺３９が形成されている。
【００１７】
縦枠外部材４ｂは、断面略コ字状に形成され、その内側辺４０には前記サッシ本体６の縦枠９の先端に形成した断面Ｌ字状の外向き係合突部４１に係合される内向きの係合溝部４２が形成されている。この係合溝部４２には、サッシ本体６の縦枠９の室外面に当接される気密材４３が設けられている。また、縦枠外部材４ｂの外側辺４４は、縦枠内部材４ａの先端部に断面略Ｌ字状に形成した固定辺４５にネジ３０で外側方から固定されるようになっている。前記縦枠外部材４ｂの外側辺４４は、断面外向き溝状に形成されており、その溝部４６にはネジ３０を隠すための目隠しキャップ４７が嵌着されるようになっている。
【００１８】
前記下枠内部材３ａには、躯体１の開口４８の下部に設けられた窓台４９の室外面に当接されると共に窓台４９の上面に当接されてネジ止めにより固定される左右一対のブラケット５０が設けられており、このブラケット５０上にテーブル板５１が取付けられている。サッシ本体６の下枠８には、テーブル板５１の先端部をネジ止めにより固定するための固定辺５２が設けられている。躯体１の開口４８の上部と両側部には額縁５３が設けられ、サッシ本体６の上枠７および左右の縦枠９，９には額縁５３の先端部に対してネジ止めにより固定される固定辺５４，５５が設けられている。
【００１９】
以上の構成からなる出窓は、先ず出窓枠５の内部材ａを組立て、次にその内部材ａの取付部１４にサッシ本体６およびアタッチメント１５，１６を取付けた後、内部材ａに外部材ｂを組付けて完成する。この完成した出窓が建物の躯体１に据付けられる。出窓の据付前においては、出幅寸法、サッシ本体６の窓形式や断熱・非断熱構造等の種類の異なる内部材ａ、外部材ｂおよびサッシ本体６を自由に選択して組合せることができる。また、躯体１への据付後においては、内部材ａから外部材ｂおよびサッシ本体６を取外すことができるため、好みの外部材ｂやサッシ本体６を組み替えて容易に改装することができる。
【００２０】
このように前記出窓によれば、建物の躯体１に取付けられる上枠２、下枠３および左右の縦枠４，４からなる出窓枠５と、該出窓枠５内に着脱可能に取付けられるサッシ本体６とを備え、前記出窓枠５を室内外方向に内部材ａと外部材ｂとに分割可能に構成してなるため、出窓枠５の内部材ａと外部材ｂの種々の組合せおよびこれらとサッシ本体６の種々の組合せが可能になると共に、据付後の改装も可能となる。後述するように前記外部材ｂを複数種類から選択可能に構成すれば、例えば通常の外部材や横引き網戸等を組込んだ機能付外部材の選択的組合せが可能となる。
【００２１】
また、後述するように前記内部材ａを複数種類から選択可能に構成すれば、例えば内部材の出幅の種類を変えることにより異なる壁厚（外壁の壁厚）に対応可能になると共に、同じ壁厚に対して出幅が選択可能となる。更に、前記内部材ａに前記サッシ本体６を着脱可能に取付けるための取付部１４を備えているため、サッシ本体６を室外側から取付け取外しすることができ、メンテナンスや据付後のサッシ本体６の入れ替え等の改装が容易にできる。この場合、内部材ａの取付部１４に対して室外側からサッシ本体６を略平行移動により容易に取付け取外し可能とするために、内部材ａの取付部１４よりも室外側の上下方向の突起部（２６）を含む開口寸法は、サッシ本体６のフィン１２の上下端間の寸法と略同じかそれよりも大とされ、内部材ａの取付部１４よりも室外側の左右方向の突起部（４５）を含む開口寸法は、サッシ本体６のフィン１２の左右端間の寸法と略同じかそれよりも大とされている。なお、サッシ本体６を取付けているネジ１３や外部材ｂを取付けているネジ３０は、目隠し板等で目隠しされていたり人目のつきにくい位置にある。
【００２２】
図３は出幅の小さい内部材を選択した出窓の縦断面図、図４は同出窓の横断面図である。これらの図において、図１、図２の実施の形態と同一部分は同一参照符号を付して説明を省略する。図３、図４の実施の形態における出窓においては、出窓枠の内部材が図１、図２の実施の形態の出窓における出窓枠５の内部材ａよりも小さい出幅寸法とされている。図１の出窓の内部材ａの出幅寸法ｄａは例えば１３５ｍｍ、図２の出窓の内部材の出幅寸法ｄｂは例えば５５ｍｍである。従って、このように出幅等の異なる複数種類の内部材ａを選択可能に用意しておけば、これらの出幅寸法の範囲内で外壁５６の厚さを自由に選択することが可能となる。換言すれば、内部材ａの出幅の種類を変えることにより異なる壁厚（外壁の壁厚）に対応可能となり、また、同じ壁厚に対しても出幅を任意に選択することが可能となる。
【００２３】
同様に、外部材ｂの出幅寸法等の異なるものを複数種類用意して選択可能としても良い。また、外部材ｂには例えば面格子をブラケットを介して取付けることも可能である。図８は外部材の他の一例を示す図で、（ａ）は縦断面図、（ｂ）は横断面図である。この出窓枠５の外部材ｂは、横引き網戸６０を備えている。この横引き網戸６０は、一端が一方の縦枠外部材４ｂの内側面に固定された蛇腹状に折畳み可能な網体６１と、この網体６１の他端に設けられ左右に移動可能で網体６１を開閉操作する操作部６２とから主に構成されている。上枠外部材２ｂと下枠外部材３ｂの対向面には、網体６１および操作部６２の上下端を左右方向に移動可能に案内するガイド部６３が設けられている。
【００２４】
この横引き網戸付の外部材は、図１、図２の出窓の外部材（単体）と同様に内部材に接続する接続構造がとられている。この横引き網戸付の外部材において、図１、図２の出窓の外部材（単体）と同様の部分は同一参照符号を付して説明を省略する。
【００２５】
出窓枠５の外部材ｂとしては、横引き網戸付以外に、例えばロール式シェード付、シャッター付等、種々の機能付のものが選択可能とされている。従って、出窓枠５の内部材ａに対して種々の外部材ｂを選択して組合せることができ、出窓の据付後においても好みの外部材ｂを選択して改装することができる。
【００２６】
以上、本発明の実施の形態を図面により詳述してきたが、本発明は前記実施の形態に限定されるものではなく、本発明の要旨を逸脱しない範囲での種々の設計変更等が可能である。例えば、本発明の出窓においては、必ずしもアタッチメント１５，１６を備えている必要はない。この場合には、例えば上枠外部材の下辺をサッシ本体の上枠の先端部にネジ止めにより固定し、下枠外部材の上辺をサッシ本体の下枠の先端部に係合するように構成すれば良い。また、請求項１の発明は、出窓枠内にサッシ本体が室内側から着脱可能に取付けられている場合を含む。
【００２７】
【発明の効果】
以上要するに本発明によれば、次のような効果を奏することができる。
【００２８】
（１）請求項１の出窓によれば、建物の躯体に取付けられる上枠、下枠および左右の縦枠からなる出窓枠と、該出窓枠内に着脱可能に取付けられるサッシ本体とを備え、前記出窓枠が建物の躯体に取付けられる出幅寸法の異なる複数種類から選択可能とされた内部材と、該内部材の室外側端部に着脱可能に取付けられる出幅寸法や付属機能の異なる複数種類から選択可能とされた外部材とから構成され、前記内部材から前記外部材を取外した状態で前記内部材内にサッシ本体を着脱可能とするために、サッシ本体の外周にフィンを略同一面状に突出形成し、前記内部材の内周にサッシ本体の外周の前記フィンを室外側から当接させて固着具で着脱可能に取付けるためのフィン状の取付部を略同一面状に形成してなるため、出窓枠の内部材と外部材の種々の組合せおよびこれらとサッシ本体との種々の組合せが可能となると共に、据付後のサッシ本体の入れ替え等の改装が容易にできるという顕著な効果を奏することができる。
【００２９】
（２）請求項２の出窓によれば、建物の躯体に取付けられる上枠、下枠および左右の縦枠からなる出窓枠と、該出窓枠内に着脱可能に取付けられるサッシ本体とを備え、前記出窓枠が建物の躯体に取付けられる出幅寸法の異なる複数種類から選択可能とされた内部材と、該内部材の室外側端部に着脱可能に取付けられる出幅寸法や付属機能の異なる複数種類から選択可能とされた外部材とから構成され、前記内部材から前記外部材を取外した状態で前記内部材内にサッシ本体を着脱可能とするために、サッシ本体の外周にフィンを略同一面状に突出形成し、前記内部材の内周にサッシ本体の外周の前記フィンを室外側から当接させて固着具で着脱可能に取付けるためのフィン状の取付部を略同一面状に形成すると共に、前記フィンを含む上下方向の寸法の異なる種類のサッシ本体を取付可能とするために前記フィン状の取付部に上部アタッチメントおよび下部アタッチメントを前記固着具で着脱可能に取付けてなるため、出窓枠の内部材と外部材の種々の組合せおよびこれらとサッシ本体との種々の組合せが可能となると共に、据付後のサッシ本体の入れ替え等の改装が容易にできる。
【図面の簡単な説明】
【図１】本発明の実施の形態を示す出窓の縦断面図である。
【図２】同出窓の横断面図である。
【図３】出幅の小さい内部材を選択した出窓の縦断面図である。
【図４】同出窓の横断面図である。
【図５】図１の出窓の概略的正面図である。
【図６】図２の要部分解横断面図である。
【図７】図１の分解縦断面図である。
【図８】外部材の他の一例を示す図で、（ａ）は縦断面図、（ｂ）は横断面図である。
【符号の説明】
１  躯体
２  上枠
３  下枠
４  縦枠
５  出窓枠
ａ  内部材
ｂ  外部材
６  サッシ本体
１４  取付部
【図１】
0004838432.tif 000002
【図２】
0004838432.tif 000003
【図３】
0004838432.tif 000004
【図４】
0004838432.tif 000005
【図５】
0004838432.tif 000006
【図６】
0004838432.tif 000007
【図７】
0004838432.tif 000008
【図８】
0004838432.tif 000009